(57)【要約】【課題】容器本体の上部に取り付けた蓋体に簡単な構成を追加するだけで、シール部材の一部をきれいに開封することができ、しかも上記蓋体を取り付けた状態のまま、その開封された開口から中身を取り出すことができる、優れたカップ型容器を提供する。【解決手段】カップ型の容器本体１０と、上記容器本体１０の上面開口を密封するシール部材１１と、上記シール部材１１で密封された容器本体１０の上面部に冠着される蓋体１２とを備え、上記蓋体１２の上面において、その周縁部側の一部が切欠かれ、その切欠き部に、根元部が上記切欠き部縁部の少なくとも一カ所にヒンジ連結され、先端側が略水平もしくは上方に延びる所定形状の開封部材１５が設けられており、上記開封部材１５の先端側を押圧して下向きに回動させることにより、その先端部でシール部材１１を破って開封できるようになっている。【選択図】図１
2006044739.tif 000002
【特許請求の範囲】
【請求項１】
液体、粉体等の内容物を充填するカップ型の容器本体と、上記容器本体の上面開口を密封するシール部材と、上記シール部材で密封された容器本体の上面部に冠着される蓋体とを備えたカップ型容器であって、上記蓋体上面において、その周縁部側の一部が切欠かれ、その切欠き部に、根元部が上記切欠き部縁部の少なくとも一カ所にヒンジ連結され、先端側が略水平もしくは上方に延びる所定形状の開封部材が設けられており、上記開封部材の先端側を押圧して下向きに回動させることにより、その先端部でシール部材を破って開封できるようになっていることを特徴とするカップ型容器。
【請求項２】
上記蓋体の切欠き部と開封部材をヒンジ連結する部分が、容器本体の上面開口を密封するシール部材上面のごく近くに位置決めされており、それ以外の蓋体上面部分は、上記シール部材の上面より３〜２５ｍｍ高くなるよう突出成形されている請求項１記載のカップ型容器。
【発明の詳細な説明】
【技術分野】
【０００１】
本発明は、液体や粉体等、流動性ある内容物を充填保持するカップ型容器に関するものである。
【背景技術】
【０００２】
従来から、コーヒ、紅茶、ジュース等の飲料を、１回に飲みきる量だけカップ型容器に充填密封して袋入りストローを添えた商品が出回っている。このようなカップ型容器の一例を図２６に示す。このカップ型容器は、飲料１を充填するカップ型の容器本体２と、上記容器本体２の上面開口を密封するシール部材３と、上記シール部材３で密封された容器本体２の上端部に冠着される蓋体４とを備えている。なお、蓋体４は、上記シール部材３を保護するために、周縁部以外の部分が上方に突出した形状になっている。
【０００３】
そして、上記蓋体４の上面部の一カ所には、一部が途切れた円形状の打ち抜き部５が形成されており、この部分にストロー６を挿通させることにより、鎖線で示すように、上記打ち抜き部５を下向きに開いて穴をあけ、シール部材３にも穴をあけて、中の飲料１を飲むことができるようになっている。
【０００４】
一方、最近、コンソメスープやポタージュスープ、汁粉といった、ストローを使わない飲料を、上記のようなカップ型容器に充填して販売することが行われている。これらの商品は、シール部材の開封をストローで行うことができないため、カップラーメンの容器と同様、シール部材の端をカップのフランジから剥がして開封し、その開封部を飲み口とするようになっているものが多い。
【０００５】
しかしながら、このような開封方法では、飲み口となる部分の大きさが、シール部材の剥がし方に左右されるため、適正な量を飲みにくい、シール部材の剥がし残しが口に当たって飲み心地が悪い、等の問題がある。
【０００６】
そこで、シール部材を確実に、限られた面積だけ開封する方法として、特殊な形状の開封補助具を、カップ型容器の上部に冠着して用いることが提案されている（特許文献１参照）。
【特許文献１】特開２００４−１２３１５５号公報
【発明の開示】
【発明が解決しようとする課題】
【０００７】
しかしながら、上記特許文献１の開封補助具は、カップ型容器の上部に冠着した状態で、下方に突出する切刃を、シール部材の上方から下方に回動させてシール部材を突き破るようになっており、構成が複雑で、嵩張るという問題がある。また、切刃を回動させる機構部分が、開口部上方を覆うため、そのままでは飲む動作を行うことができず、必ず、上記開封補助具をカップ型容器上部から外して飲まなければならないという不具合もある。
【０００８】
本発明は、このような事情に鑑みなされたもので、容器本体の上部に取り付けた蓋体に簡単な構成を追加するだけで、シール部材の一部をきれいに開封することができ、しかも上記蓋体を取り付けた状態のまま、その開封された開口から中身を取り出すことができる、優れたカップ型容器の提供をその目的とする。
【課題を解決するための手段】
【０００９】
上記の目的を達成するため、本発明は、液体、粉体等の内容物を充填するカップ型の容器本体と、上記容器本体の上面開口を密封するシール部材と、上記シール部材で密封された容器本体の上面部に冠着される蓋体とを備えたカップ型容器であって、上記蓋体上面において、その周縁部側の一部が切欠かれ、その切欠き部に、根元部が上記切欠き部縁部の少なくとも一カ所にヒンジ連結され、先端側が略水平もしくは上方に延びる所定形状の開封部材が設けられており、上記開封部材の先端側を押圧して下向きに回動させることにより、その先端部でシール部材を破って開封できるようになっているカップ型容器を第１の要旨とする。
【００１０】
また、本発明は、そのなかでも、特に、上記蓋体の切欠き部と開封部材をヒンジ連結する部分が、容器本体の上面開口を密封するシール部材上面のごく近くに位置決めされており、それ以外の蓋体上面部分は、上記シール部材の上面より３〜２５ｍｍ高くなるよう突出成形されているカップ型容器を第２の要旨とする。
【発明の効果】
【００１１】
すなわち、本発明のカップ型容器は、容器本体の上面開口を密封するシール部材を開封するために、蓋体上面に切欠き部を設け、その切欠き部に、略水平もしくは上方に延びる所定形状の開封部材をヒンジ連結するようにしたものである。このカップ型容器によれば、上記開封部材を下に押圧する等の簡単な動作を行うだけで、その開封部材の形状に合わせてシール部材を破って開封することができ、しかもそのシール部材の破られた部分は、開封部材によって内側に押し込まれた状態で保持されるため、開口部から円滑に内容物を取り出すことができる。特に、内容物が飲料の場合、その開口部に口をあてて直接飲料を飲んでも、違和感がなく、スムーズに飲料を飲むことができる。
【００１２】
そして、上記カップ型容器のなかでも、特に、上記蓋体の切欠き部と開封部材をヒンジ連結する部分が、容器本体の上面開口を密封するシール部材上面のごく近くに位置決めされており、それ以外の蓋体上面部分は、上記シール部材の上面より３〜２５ｍｍ高くなるよう突出成形されているカップ型容器は、開封部材がシール部材上面のごく近くの位置から押し込まれることになるため、シール部材を破る力に無駄がなく、開封動作が、より効果的に行われるという利点を有する。しかも、開封部材が連結された切欠き部以外の部分が、上記シール部材の上面より所定距離だけ高く突出成形されているため、保管時や運搬時に、蓋体の上面に荷重がかかっても、開封部材には荷重がかからず、誤ってシール部材が開封されることがないという効果を奏する。
【発明を実施するための最良の形態】
【００１３】
つぎに、本発明を実施するための最良の形態について説明する。
【００１４】
図１は、本発明を、スープ等の飲料を充填したカップ型容器に適用した最良の実施形態を示している。そして、図２は、その要部拡大図、図３はそのＡ−Ａ′断面図である。これらの図において、１０は、図２６に示すものと同様、中身となる飲料を充填するカップ型の容器本体で、その上面開口が、シール部材１１（図３参照）によって密封されている。また、１２は、上記シール部材１１で密封された容器本体１０の上面部に冠着される蓋体である。
【００１５】
より詳しく説明すると、上記容器本体１０は、縦長カップ状のプラスチック一体成形品で、上縁部に、外向きのフランジ部１０ａが延設されている。そして、このフランジ部１０ａの上面に、シール部材１１の周縁部がヒートシールされて、上記容器本体１０の上面開口が密封されている。
【００１６】
また、上記蓋体１２も、プラスチック一体成形品からなり、その上面部のうち、中央側の部分１２ａは、内側のシール部材１１の上面から所定距離（図３においてＬで示す）だけ高くなるよう設定されている。そして、その外側の環状部分は、上方に突出して、蓋体１２に一定の強度と保形性を与えるリブ部１３になっている。そして、最も外側の周縁部は、下向きの折り返し部１４ａを有するフランジ部１４になっており、この部分が、上記容器本体１０のフランジ部１０ａ（シール部材１１付）と係合するようになっている。
【００１７】
なお、上記蓋体１２の周縁部側の一部が、フランジ部１４の高さまで、平面視アーチ状に段落としされ、その底面が切り欠かれている。そして、上記切欠き部に、その部分を補填するように、先端側（奥側）がアーチ状で爪のように中央がやや高くなるよう凸状に湾曲した開封部材１５が保持されている。すなわち、上記開封部材１５の根元部（手前側部）は、左右二カ所において、フランジ部１４側の切欠き縁部と連結されており、そのアーチ状先端部は、切欠き部の段落とし端面１６から突出する小突起１６ａの先端とごく小さな断面積で連結しており、この開封部材１５を下向きに押圧すれば、軽微な力で即座にその連結が外れ、根元部の連結部１７、１８だけで、蓋体１２側の切欠き縁部とつながるようになっている。
【００１８】
そして、その根元側の各連結部１７、１８は、図２および図３に示すように、フランジ部１４側の部分が内側に向かって少し盛り上がって厚肉に形成され、開封部材１５との境界部において薄肉に凹んでいる。したがって、上記開封部材１５を下向きに押圧すると、図４に示すように、開封部材１５が、この連結部１７、１８の薄肉部分を回転中心として矢印で示すように回動し、この部分がいわゆるヒンジとしての役割を果たすようになっている。
【００１９】
なお、容器本体１０内に押し込まれた開封部材１５は、凹状に反転し、容器本体１０の壁面側に貼りつくようになっている。このとき、開封部材１５のすぐ下にあるシール部材１１は、開封部材１５とほぼ近似する形状で破られ、開封部材１５と容器本体１０の壁面との間に挟まれた状態で保持されるようになっている。
【００２０】
そして、図５に示すように、開封部材１５の形状とほぼ近似する形状の開口Ｘが形成されるため、この部分から、中身である飲料を直接、何ら違和感なく、良好な状態で飲むことができる。
【００２１】
なお、本発明において、開封部材１５は、蓋体１２の周縁部側の一部を切欠いて、その切欠き部に、根元側が上記切欠き縁部にヒンジ連結され、先端側が略水平もしくは上方に延びる構成になっていれば、どのようなものであっても差し支えない。そして、略水平もしくは上方に延びる先端側は、上記の例のように、ごく小さな断面積で切欠き縁部と連結しておき、開封部材１５を下向きに押圧するとすぐに外れるよう設定しておいてもよいし、何ら連結しないままであってもよい。
【００２２】
例えば、図６、図７（図６のＢ−Ｂ′断面図）に、他の実施例を示す。この例では、蓋体１２の周縁部側が、略コ字状に段落としされており、その底面１２ｂの周縁部側の一部が切欠かれて、その切欠き縁部から垂直に、開封部材２５が立設されている。そして、この底面１２ｂと開封部材２５の連結部は、図７に示すように、薄肉に凹んでおり、開封部材２５がこの薄肉部分を回転中心として回動するよう、ヒンジ連結になっている。
【００２３】
また、上記開封部材２５は、３つの面２５ａ、２５ｂ、２５ｃが左右方向に連結した構成になっており、中央の面２５ｂは正面に対し平行で、左右の面２５ａ、２５ｃはそれぞれ、外側にいくほど手前に突出している。そして、各面２５ａ等の連結部も、裏面側においてそれぞれ薄肉に凹んでおり、互いにヒンジ連結になっている。
【００２４】
したがって、上記開封部材２５を下向きに押圧すると、図８に示すように、開封部材２５が、底面１２ｂとの境界である薄肉部分を回転中心として矢印で示すように回動し、その形状を反転させながら容器本体１０内に押し込まれる。そして、開封部材２５の下にあるシール部材１１は、開封部材２５とほぼ近似する形状で破られ、開封部材２５の裏側に保持されるようになっている。
【００２５】
そして、図９に示すように、下向きに押し込まれた開封部材２５と容器本体１０の壁面との間に、細長い形状の開口Ｘが形成されるため、この部分から、中身である飲料を直接、何ら違和感なく、良好な状態で飲むことができる。
【００２６】
また、さらに他の実施例を、図１０、図１１（図１０のＣ−Ｃ′断面図）に示す。この例では、蓋体１２の周縁部側が、円弧状に段落としされており、その底面１２ｂの周縁部側の一部が切欠かれて、その切欠き縁部から垂直に、開封部材３５の根元部３５ａが立設されている。そして、上記根元部３５ａからさらに、フランジ部１４に向かって略半円状の折り返し片３５ｂが延設されており、その先端がフランジ部１４の内縁部に当接している。なお、上記折り返し片３５ｂは、略４分円形状の２面３６、３７を、互いに中央から左右に向かって登り傾斜となるよう連結した構成になっており、中央の連結部と、根元部３５ａとの連結部、根元部３５ａと底面１２ｂとの連結部が、それぞれ薄肉に凹んで、ヒンジ連結構造になっている。
【００２７】
したがって、上記開封部材３５のうち、折り返し片３５ｂの左右の突出部を、矢印で示すように斜め下方向に押圧すると、図１２に示すように、開封部材３５が、底面１２ｂとの境界である薄肉部分を回転中心として矢印で示すように回動し、その形状を反転させながら容器本体１０内に押し込まれる。そして、開封部材３５の下にあるシール部材１１は、開封部材３５の折り返し片３５ｂとほぼ近似する形状で破られ、折り返し片３５ｂの裏側に保持されるようになっている。
【００２８】
そして、図１３に示すように、下向きに押し込まれた開封部材３５の折り返し片３５ｂと容器本体１０の壁面との間に、細長い形状の開口Ｘが形成されるため、この部分から、中身である飲料を直接、何ら違和感なく、良好な状態で飲むことができる。
【００２９】
また、さらに他の実施例を、図１４、図１５（図１４のＤ−Ｄ′断面図）に示す。この例では、蓋体１２の周縁部側が、略コ字状に段落としされており、その底面となるべき部分が切欠かれている。そして、その奥側の段落とし端面４０は、手前側に下り傾斜で延びており、その左右両縁部のうち根元部分（図１４において斜線Ｓで示す部分）が、左右の段落とし面４１と一体的に固定されている。そして、上記段落とし端面４０の手前側の端縁には、薄肉のヒンジ部分を介して、その先端が、フランジ部１４の内縁部近傍まで延びる開封部材４５が連結されている。
【００３０】
なお、上記開封部材４５と段落とし端面４０とのヒンジ連結部は、その左右において、それぞれ二股に分かれており、その分かれた部分に、小さな三角形のガイド片４６、４７が取り付けられている。この構成によれば、後述するように開封部材４５を下方に押圧して折り込む際、折り目となるヒンジ連結部が左右両側で２本に分かれるため、高い強度を示す。また、開封部材４５の上面には、小さな円形の凹部４８が形成されているが、これは、上記開封部材４５を押し込むとき指を当てる位置を示したものである。
【００３１】
したがって、上記開封部材４５の凹部４８に指を当てて、図１６に示すように、斜め下方向に押圧すると、開封部材４５が、段落とし端面４０との境界である薄肉部分を回転中心として回動し、その形状を反転させながら容器本体１０内に押し込まれる。そして、開封部材４５の下にあるシール部材１１は、開封部材４５とほぼ近似する形状で破られ、開封部材４５の裏側に保持されるようになっている。
【００３２】
そして、図１７に示すように、下向きに押し込まれた開封部材４５と容器本体１０の壁面との間に開口Ｘが形成されるため、この部分から、中身である飲料を直接、何ら違和感なく、良好な状態で飲むことができる。
【００３３】
また、さらに他の実施例を、図１８、図１９（図１８のＥ−Ｅ′断面図）に示す。この例では、蓋体１２の周縁部側が、略コ字状に段落としされており、その底面となるべき部分のうち、左右両側の段落とし端面５１の下端部からそれぞれ所定幅だけ内側に突出した帯状部５２を残して、他の部分は切欠かれている。そして、上記左右の帯状部５２（向かって右側の帯状部は隠れて見えない）の手前側端部と、薄肉のヒンジ部を介して、開封部材５５が連結されている。
【００３４】
なお、上記開封部材５５の奥側部分は、上記左右の帯状部５２の間に延びており、その奥端縁に、指をかけることができるよう凹部５６が形成されている。したがって、この開封部材５５の凹部５６に指をかけ、図２０に示すように、矢印で示すように手前側（図２０では向かって左方向）に引き上げると、上記開封部材５５が、帯状部５２との境界である薄肉部分を回転中心として回動し、手前側の部分５５ａが容器本体１０内に押し込まれる。そして、開封部材５５の下にあるシール部材１１は、開封部材５５の手前側部分５５ａとほぼ近似する形状で破られ、開封部材５５の裏側に保持されるようになっている。
【００３５】
そして、図２１に示すように、下向きに押し込まれた開封部材５５の手前側部分５５ａと容器本体１０の壁面との間に開口Ｘが形成されるため、この部分から、中身である飲料を直接、何ら違和感なく、良好な状態で飲むことができる。
【００３６】
なお、本発明のカップ型容器は、これらの例に限らず、例えば、図２２に示すように、シール部材１１を２重に設け、内部を２つに仕切った容器に適用することもできる。すなわち、２枚のシール部材１１の間に形成されるスペースＰ内にフレッシュミルクや砂糖を充填し、その下のスペースＱ内にコーヒや紅茶を充填しておき、図２３に示すように、上記２重のシール部材１１を、開封部材１５で同時に開封することにより、より風味の高いコーヒ、紅茶を提供することができる。
【００３７】
また、本発明において、開封部材１５等と蓋体１２とのヒンジ連結部分は、上記の各例のように、容器本体１０の上面開口を密封するシール部材１１上面の、ごく近傍に設けられていることが好ましい。すなわち、このように配置すると、開封部材１５等を押し込む等の動作によってシール部材１１を開封する際、動作効率がよく、開封部材１５等の形状に沿ってきれいにシール部材１１を破ることができるからである。
【００３８】
なお、シール部材１１が、図２４に示すように、容器本体１０の上端縁から少し下がった内側部分に設けられている場合は、開封部材１５等のヒンジ連結位置部を、上記シール部材１１の上面近傍に設け、開封部材１５等をシール部材１１の上面に沿うように配置し、蓋体１２′の他の部分は、上方に突設成形して、容器本体１０の上縁部と面一となるようにしてもよい。このように、開封部材１５等の取り付け部以外の部分を上方に突設して高低差を設けるのは、保管や運搬時に、上方から荷重がかかった場合に、開封部材１５等が下方に押し込まれてシール部材１１を開封しないよう配慮したものである。このような理由から、上記シール部材１１の上面と突設された蓋体上面部１２ａとの高低差（図３においてＬで示す）は、３〜２５ｍｍに設定することが好適である。
【００３９】
また、上記のように、開封部材１５等の取り付け位置と、蓋体１２の他の部分とに高低差を設けない場合は、同様の趣旨から、図２５において鎖線で示すように、蓋体１２″の上に、さらに一段高い突設部分を備えた蓋カバー６０を冠着することが好ましい。
【００４０】
なお、蓋体１２の材質は、一定の剛性を備え、成形性を備えたものであれば、どのようなものであってもよく、例えば、ポリプロピレン、ポリエチレン等のポリオレフィンや、ポリアミド等があげられる。そして、その厚みは、保形性等の点から、０．３〜１．０ｍｍ、なかでも０．５〜０．６ｍｍに設定することが好適である。
【００４１】
また、容器本体１０の材質も、一定の剛性を備え、成形性を備えたものであれば、どのようなものであってもよく、蓋体１２の材質と同様の樹脂があげられる。そして、その厚みは、その材質や収容する中身にもよるが、通常、０．３〜２．０ｍｍ、なかでも０．５〜１．０ｍｍ程度に設定することが好適である。
【００４２】
そして、シール部材１１の材質は、アルミニウム箔や、アルミニウム箔とプラスチックフィルムのラミネートシート等、従来から、このようなカップ型容器のシール部材として用いられているものであれば、どのようなものであってもよい。
【００４３】
さらに、本発明は、飲料だけでなく、化粧料、薬剤等、各種の内容物を充填する容器として提供することができる。例えば、図２２に示すような、２重にシール部材１１が設けられた構造の容器において、上部のスペースＰに酵素系の美白薬剤（粉末）を充填するとともに、下部のスペースＱに化粧水を充填しておき、使用時に、上記２重のシール部材１１を同時に開封し、美白薬剤を化粧水と混合した状態で使用することにより、すぐれた美白効果を発現させるようにすることができる。
【図面の簡単な説明】
【００４４】
【図１】本発明の一実施例を示す斜視図である。
【図２】上記実施例の要部拡大斜視図である。
【図３】図２のＡ−Ａ′断面図である。
【図４】上記実施例の使用態様を示す部分的な断面図である。
【図５】上記使用態様を示す部分的な斜視図である。
【図６】本発明の他の実施例の要部拡大斜視図である。
【図７】図６のＢ−Ｂ′断面図である。
【図８】上記実施例の使用態様を示す部分的な断面図である。
【図９】上記使用態様を示す部分的な斜視図である。
【図１０】本発明のさらに他の実施例の要部拡大斜視図である。
【図１１】図１０のＣ−Ｃ′断面図である。
【図１２】上記実施例の使用態様を示す部分的な断面図である。
【図１３】上記使用態様を示す部分的な斜視図である。
【図１４】本発明の他の実施例の要部拡大斜視図である。
【図１５】図１４のＤ−Ｄ′断面図である。
【図１６】上記実施例の使用態様を示す部分的な断面図である。
【図１７】上記使用態様を示す部分的な斜視図である。
【図１８】本発明のさらに他の実施例の要部拡大斜視図である。
【図１９】図１８のＥ−Ｅ′断面図である。
【図２０】上記実施例の使用態様を示す部分的な断面図である。
【図２１】上記使用態様を示す部分的な斜視図である。
【図２２】本発明の他の実施例を示す部分的な断面部である。
【図２３】上記実施例の使用態様を示す部分的な断面図である。
【図２４】本発明のさらに他の実施例を示す部分的な断面図である。
【図２５】本発明の他の実施例を示す部分的な断面図である。
【図２６】従来のカップ型容器の一例を示す断面図である。
【符号の説明】
【００４５】
１０  容器本体
１１  シール部材
１２  蓋体
１５  開封部材
【図１】
2006044739.tif 000003
【図２】
2006044739.tif 000004
【図３】
2006044739.tif 000005
【図４】
2006044739.tif 000006
【図５】
2006044739.tif 000007
【図６】
2006044739.tif 000008
【図７】
2006044739.tif 000009
【図８】
2006044739.tif 000010
【図９】
2006044739.tif 000011
【図１０】
2006044739.tif 000012
【図１１】
2006044739.tif 000013
【図１２】
2006044739.tif 000014
【図１３】
2006044739.tif 000015
【図１４】
2006044739.tif 000016
【図１５】
2006044739.tif 000017
【図１６】
2006044739.tif 000018
【図１７】
2006044739.tif 000019
【図１８】
2006044739.tif 000020
【図１９】
2006044739.tif 000021
【図２０】
2006044739.tif 000022
【図２１】
2006044739.tif 000023
【図２２】
2006044739.tif 000024
【図２３】
2006044739.tif 000025
【図２４】
2006044739.tif 000026
【図２５】
2006044739.tif 000027
【図２６】
2006044739.tif 000028